【手続補正書】
【提出日】平成18年9月13日(2006.9.13)
【手続補正１】
【補正対象書類名】特許請求の範囲
【補正対象項目名】全文
【補正方法】変更
【補正の内容】
【特許請求の範囲】
【請求項１】
回路基板と、
前記回路基板に設けられた放射器と、
前記回路基板に形成され、前記放射器から放射される電波をシールドするシールド層と、
前記放射器が前記シールド層から露出するように前記シールド層に形成された開口部と、
前記開口部を塞ぐように移動可能なシールド部材とを備えることを特徴とするアンテナ装置。
【請求項２】
前記放射器は前記回路基板内に埋め込まれ、前記シールド層は前記放射器の上下のいずれか少なくとも一方に配置されていることを特徴とする請求項１記載のアンテナ装置。
【請求項３】
前記放射器は、前記回路基板に設けられた配線パターンの一部から構成されることを特徴とする請求項１または２記載のアンテナ装置。
【請求項４】
第１筐体部と、
第２筐体部と、
前記第１筐体部と前記第２筐体部との間の位置関係を変えられるように前記第１筐体部と前記第２筐体部とを連結する連結部と、
前記第１筐体部または前記第２筐体部に搭載された外部無線通信用アンテナと、
前記第１筐体部に搭載され、前記外部無線通信用アンテナを介して行われる外部無線通信の制御を主として司る外部無線通信制御部と、
前記第２筐体部に搭載された表示部と、
前記第１筐体部に搭載された第１回路基板と、
前記第１回路基板に設けられた第１の内部無線通信用アンテナと、
前記第１回路基板に形成され、前記第１の内部無線通信用アンテナから放射される電波をシールドする第１グランド層と、
前記第２筐体部に搭載された第２回路基板と、
前記第２回路基板に設けられた第２の内部無線通信用アンテナと、
前記第２回路基板に形成され、前記第２の内部無線通信用アンテナから放射される電波をシールドする第２グランド層と、
前記第１筐体部に搭載され、前記第１の内部無線通信用アンテナを介して行われる内部無線通信の制御を司る第１の内部無線通信制御部と、
前記第２筐体部に搭載され、前記第２の内部無線通信用アンテナを介して行われる内部無線通信の制御を司る第２の内部無線通信制御部と、
前記第１および第２グランド層にそれぞれ形成され、前記第１筐体部と前記第２筐体部との間の第１の位置関係に対応して配置された第１および第２開口部と、
前記第１および第２グランド層にそれぞれ形成され、前記第１筐体部と前記第２筐体部との間の第２の位置関係に対応して配置された第３および第４開口部とを備えることを特徴とする無線通信端末。
【請求項５】
前記第１筐体部と前記第２筐体部との間の位置関係を検出する位置関係検出手段と、
前記位置関係検出手段にて検出された位置関係に基づいて、前記第１および第２開口部または前記第３および第４開口部をシールドするシールド板とをさらに備えることを特徴とする請求項４記載の無線通信端末。
【請求項６】
前記第１の位置関係は、前記第１筐体部と前記第２筐体部とを互いに開いた時に対応し、前記第２の位置関係は、前記第１筐体部と前記第２筐体部とを互いに閉じた時に対応し、前記第１および第２開口部の開口面積は、前記第３および第４開口部の開口面積よりもそれぞれ大きいことを特徴とする請求項４または５記載の無線通信端末。
【請求項７】
第１筐体部と、
第２筐体部と、
前記第１筐体部と前記第２筐体部との間の位置関係を変えられるように前記第１筐体部と前記第２筐体部とを連結する連結部と、
前記第１筐体部または前記第２筐体部に搭載された外部無線通信用アンテナと、
前記第１筐体部に搭載され、前記外部無線通信用アンテナを介して行われる外部無線通信の制御を主として司る外部無線通信制御部と、
前記第２筐体部に搭載された表示部と、
前記第１筐体部に搭載された第１の内部無線通信用アンテナと、
前記第２筐体部に搭載され、前記第１筐体部と前記第２筐体部との間の第１の位置関係に対応して配置された第２の内部無線通信用アンテナと、
前記第１筐体部または前記第２筐体部に搭載され、前記第１筐体部と前記第２筐体部との間の第２の位置関係に対応して配置された第３の内部無線通信用アンテナと、
前記第１筐体部に搭載され、前記第１または第３の内部無線通信用アンテナを介して行われる内部無線通信の制御を司る第１の内部無線通信制御部と、
前記第２筐体部に搭載され、前記第２または第３の内部無線通信用アンテナを介して行われる内部無線通信の制御を司る第２の内部無線通信制御部とを備えることを特徴とする無線通信端末。
【請求項８】
前記無線通信端末は携帯電話であることを特徴とする請求項４から７のいずれか１項記載の無線通信端末。
【請求項９】
前記内部無線通信は、微弱無線またはＵＷＢ無線の近距離無線であることを特徴とする請求項４から８のいずれか１項記載の無線通信端末。
【手続補正２】
【補正対象書類名】明細書
【補正対象項目名】００１０
【補正方法】変更
【補正の内容】
【００１０】
これにより、アンテナ装置が搭載された筐体部の位置関係に基づいて、放射器から放射される電波をシールドしたり、放射器から放射される電波を外部に送出させたりすることができる。このため、アンテナ装置が搭載される環境の多様性に対応しつつ、他の通信との相互干渉を低減させることができる。
また、本発明の一態様に係るアンテナ装置によれば、前記放射器は前記回路基板内に埋め込まれ、前記シールド層は前記放射器の上下のいずれか少なくとも一方に配置されていることを特徴とする。
【手続補正３】
【補正対象書類名】明細書
【補正対象項目名】００１３
【補正方法】変更
【補正の内容】
【００１３】
また、本発明の一態様に係る無線通信端末によれば、第１筐体部と、第２筐体部と、前記第１筐体部と前記第２筐体部との間の位置関係を変えられるように前記第１筐体部と前記第２筐体部とを連結する連結部と、前記第１筐体部または前記第２筐体部に搭載された外部無線通信用アンテナと、前記第１筐体部に搭載され、前記外部無線通信用アンテナを介して行われる外部無線通信の制御を主として司る外部無線通信制御部と、前記第２筐体部に搭載された表示部と、前記第１筐体部に搭載された第１回路基板と、前記第１回路基板に設けられた第１の内部無線通信用アンテナと、前記第１回路基板に形成され、前記第１の内部無線通信用アンテナから放射される電波をシールドする第１グランド層と、前記第２筐体部に搭載された第２回路基板と、前記第２回路基板に設けられた第２の内部無線通信用アンテナと、前記第２回路基板に形成され、前記第２の内部無線通信用アンテナから放射される電波をシールドする第２グランド層と、前記第１筐体部に搭載され、前記第１の内部無線通信用アンテナを介して行われる内部無線通信の制御を司る第１の内部無線通信制御部と、前記第２筐体部に搭載され、前記第２の内部無線通信用アンテナを介して行われる内部無線通信の制御を司る第２の内部無線通信制御部と、前記第１および第２グランド層にそれぞれ形成され、前記第１筐体部と前記第２筐体部との間の第１の位置関係に対応して配置された第１および第２開口部と、前記第１および第２グランド層にそれぞれ形成され、前記第１筐体部と前記第２筐体部との間の第２の位置関係に対応して配置された第３および第４開口部とを備えることを特徴とする。
【手続補正４】
【補正対象書類名】明細書
【補正対象項目名】００１７
【補正方法】変更
【補正の内容】
【００１７】
また、本発明の一態様に係る無線通信端末によれば、第１筐体部と、第２筐体部と、前記第１筐体部と前記第２筐体部との間の位置関係を変えられるように前記第１筐体部と前記第２筐体部とを連結する連結部と、前記第１筐体部または前記第２筐体部に搭載された外部無線通信用アンテナと、前記第１筐体部に搭載され、前記外部無線通信用アンテナを介して行われる外部無線通信の制御を主として司る外部無線通信制御部と、前記第２筐体部に搭載された表示部と、前記第１筐体部に搭載された第１の内部無線通信用アンテナと、前記第２筐体部に搭載され、前記第１筐体部と前記第２筐体部との間の第１の位置関係に対応して配置された第２の内部無線通信用アンテナと、前記第１筐体部または前記第２筐体部に搭載され、前記第１筐体部と前記第２筐体部との間の第２の位置関係に対応して配置された第３の内部無線通信用アンテナと、前記第１筐体部に搭載され、前記第１または第３の内部無線通信用アンテナを介して行われる内部無線通信の制御を司る第１の内部無線通信制御部と、前記第２筐体部に搭載され、前記第２または第３の内部無線通信用アンテナを介して行われる内部無線通信の制御を司る第２の内部無線通信制御部とを備えることを特徴とする。